(57)【要約】【課題】空気の吹き出し位置を工夫することで、対象者が不快感を覚えるのを抑える。【解決手段】送風ゲート（20）には、上下方向に間隔をあけて複数の吹出口（22）が形成されている。複数の吹出口（22）は、複数のフラップ（23）によって開閉可能となっている。そして、送風ゲート（20）を通過しようとする対象者（T）の身長に応じて、対象者（T）の顔に空気が吹き出される位置の吹出口（22）をフラップ（23）で閉塞することで、対象者（T）の首から下に空気を吹き出す。【選択図】図３
2019211190.tif 000002
【特許請求の範囲】
【請求項１】
対象者（T）に向けて空気を吹き出して塵埃を除去する除塵装置であって、
空気を送風するファン（25）と、
前記ファン（25）から送風されて前記対象者（T）に向かう空気の吹き出し位置を変更する吹出位置変更部（23,33）とを備え、
前記吹出位置変更部（23,33）は、前記対象者（T）の首から下に向けて空気を吹き出すように、該対象者（T）の身長に応じて前記吹き出し位置を変更するように構成されていることを特徴とする除塵装置。
【請求項２】
請求項１において、
前記吹出位置変更部（23）は、前記対象者（T）に向けて屋内空間（S1）から屋外空間（S2）へと空気を吹き出すように構成されていることを特徴とする除塵装置。
【請求項３】
請求項１又は２において、
前記吹出位置変更部（23）は、前記対象者（T）に向けて上方から下方へと空気を吹き出すように構成されていることを特徴とする除塵装置。
【請求項４】
請求項１乃至３のうち何れか１つにおいて、
前記対象者（T）が屋外空間（S2）から屋内空間（S1）へ向かう入室方向に対して交差する横方向から空気を吹き出すように吹出口（22）が設けられ、
前記入室方向の手前側に開口する前記吹出口（22）は、該入室方向の奥側に開口する該吹出口（22）よりも高い位置に設けられていることを特徴とする除塵装置。
【請求項５】
請求項１乃至４のうち何れか１つにおいて、
前記ファン（25）で送風される空気に有用成分を付加する付加部（12）を備えたことを特徴とする除塵装置。
【請求項６】
請求項１乃至５のうち何れか１つに記載の対象者（T）用の除塵装置（10）と、物品（B）に向けて空気を吹き出して塵埃を除去する物品（B）用の除塵装置（40）とを備えた除塵システム。
【発明の詳細な説明】
【技術分野】
【０００１】
本開示は、除塵装置及び除塵システムに関するものである。
【背景技術】
【０００２】
従来より、エアノズルから対象者（入室者）に対して空気を吹き出して、対象者から粉塵をはたき出すようにしたエアシャワー装置が知られている（例えば、特許文献１参照）。
【先行技術文献】
【特許文献】
【０００３】
【特許文献１】特許第５４６４７２６号公報
【発明の概要】
【発明が解決しようとする課題】
【０００４】
しかしながら、従来のエアシャワー装置では、対象者の全身に空気を吹き出すようにしているので、顔に空気を吹き付けられた対象者が不快感を覚えるおそれがある。
【０００５】
本開示の目的は、空気の吹き出し位置を工夫することで、対象者が不快感を覚えるのを抑えることにある。
【課題を解決するための手段】
【０００６】
本開示の第１の態様は、対象者（T）に向けて空気を吹き出して塵埃を除去する除塵装置を対象としている。そして、空気を送風するファン（25）と、前記ファン（25）から送風されて前記対象者（T）に向かう空気の吹き出し位置を変更する吹出位置変更部（23,33）とを備え、前記吹出位置変更部（23,33）は、前記対象者（T）の首から下に向けて空気を吹き出すように、該対象者（T）の身長に応じて前記吹き出し位置を変更するように構成されていることを特徴とする。
【０００７】
第１の態様では、対象者（T）の身長に応じて空気の吹き出し位置を変更することで、対象者（T）の首から下に向けて空気を吹き出すようにしている。これにより、対象者（T）の顔に空気が吹き付けられるのを抑えることができる。
【０００８】
本開示の第２の態様は、第１の態様において、前記吹出位置変更部（23）は、前記対象者（T）に向けて屋内空間（S1）から屋外空間（S2）へと空気を吹き出すように構成されていることを特徴とする。
【０００９】
第２の態様では、対象者（T）に向けて屋内空間（S1）から屋外空間（S2）へと空気を吹き出すようにしている。これにより、対象者（T）に付着している塵埃が除去された後、空気の流れに沿って屋外空間（S2）に排出することができる。
【００１０】
本開示の第３の態様は、第１又は第２の態様において、前記吹出位置変更部（23）は、前記対象者（T）に向けて上方から下方へと空気を吹き出すように構成されていることを特徴とする。
【００１１】
第３の態様では、対象者（T）に向けて上方から下方へと空気を吹き出すようにしている。これにより、対象者（T）に付着している塵埃が除去された後、塵埃が浮遊して対象者（T）に再付着するのを抑えることができる。
【００１２】
本開示の第４の態様は、第１乃至第３の態様のうち何れか１つにおいて、前記対象者（T）が屋外空間（S2）から屋内空間（S1）へ向かう入室方向に対して交差する横方向から空気を吹き出すように吹出口（22）が設けられ、前記入室方向の手前側に開口する前記吹出口（22）は、該入室方向の奥側に開口する該吹出口（22）よりも高い位置に設けられていることを特徴とする。
【００１３】
第４の態様では、入室方向の手前側に開口する吹出口（22）の高さを、入室方向の奥側に開口する吹出口（22）よりも高くしている。具体的に、対象者（T）が入室方向に移動するときに、まず、対象者（T）の上半身の塵埃が除去されることとなる。その後、除去された塵埃が対象者（T）の下半身に再付着したとしても、奥側の吹出口（22）から吹き出される空気によって、対象者（T）の下半身の塵埃を除去することができる。
【００１４】
本開示の第５の態様は、第１乃至第４の態様のうち何れか１つにおいて、前記ファン（25）で送風される空気に有用成分を付加する付加部（12）を備えたことを特徴とする。
【００１５】
第５の態様では、ファン（25）で送風される空気に有用成分を付加している。これにより、有用成分として、例えば、消臭剤、除菌剤、フレグランス剤などを付加することができる。
【００１６】
本開示の第６の態様は、第１乃至第５の態様のうち何れか１つに記載の対象者（T）用の除塵装置（10）と、物品（B）に向けて空気を吹き出して塵埃を除去する物品（B）用の除塵装置（40）とを備えた除塵システムを対象としている。
【００１７】
第６の態様では、対象者（T）用の除塵装置（10）と、物品（B）用の除塵装置（40）とを備えている。これにより、対象者（T）に付着した塵埃と、物品（B）に付着した塵埃とを、別々の除塵装置（10,40）で除去することができる。
【図面の簡単な説明】
【００１８】
【図１】図１は、本実施形態１に係る除塵装置の構成を示す斜視図である。
【図２】図２は、屋内空間から屋外空間へと空気が吹き出されている状態を示す平面断面図である。
【図３】図３は、対象者の身長に応じて首から下に向けて空気を吹き出している状態を示す側面図である。
【図４】図４は、対象者に対して上方から下方へと空気が吹き出されている状態を示す背面図である。
【図５】図５は、別の対象者の身長に応じて首から下に向けて空気を吹き出している状態を示す側面図である。
【図６】図６は、本変形例１に係る除塵装置において、開閉ダンパの開閉動作を切り替えることで吹き出し位置を変更するようにした構成を示す側面図である。
【図７】図７は、本変形例２に係る除塵装置において、複数のファンの動作を切り替えることで吹出位置を変更するようにした構成を示す側面図である。
【図８】図８は、本実施形態２に係る対象者用及び物品用の除塵装置を備えた除塵システムの構成を示す平面図である。
【発明を実施するための形態】
【００１９】
《実施形態１》
実施形態１について説明する。
【００２０】
図１に示すように、除塵装置（10）は、左右一対の送風ゲート（20）と、送風ゲート（20）の下端部を支持する左右の支持脚（11）と、左右の支持脚（11）の間に配設されたフロアプレート（15）とを備えている。
【００２１】
図２及び図３に示すように、送風ゲート（20）は、内部にクロスフロー式のファン（25）が配設されたゲート本体（21）と、ゲート本体（21）に形成された複数の吹出口（22）を開閉可能な複数のフラップ（23）（吹出位置変更部）とを有する。
【００２２】
送風ゲート（20）は、屋内空間（S1）と屋外空間（S2）との境界位置に設置されている。吹出口（22）は、対象者（T）が屋外空間（S2）から屋内空間（S1）へ向かう入室方向に対して交差する横方向から空気を吹き出すように形成されている。つまり、左右の送風ゲート（20）の向かい合う面に、吹出口（22）が形成されている。
【００２３】
送風ゲート（20）は、屋内空間（S1）から屋外空間（S2）に向かって斜め上方に傾斜した姿勢で立設している。これにより、入室方向の手前側に開口する吹出口（22）は、入室方向の奥側に開口する吹出口（22）よりも高い位置に設けられている。
【００２４】
支持脚（11）は、送風ゲート（20）が上述した傾斜姿勢となるように支持している。支持脚（11）には、ファン（25）で送風される空気に有用成分を付加する付加カートリッジ（12）（付加部）が着脱可能に取り付けられている（図１参照）。
【００２５】
付加カートリッジ（12）に含まれている有用成分としては、例えば、消臭剤、除菌剤、フレグランス剤などがある。支持脚（11）の内部とゲート本体（21）の内部とは、互いに連通しており、送風ゲート（20）のファン（25）を回転駆動させると、付加カートリッジ（12）の有用成分がゲート本体（21）内部に送り込まれ、空気と撹拌された後で吹出口（22）から吹き出されるようになっている。
【００２６】
フロアプレート（15）の上面には、複数の吸入口（16）が形成されている。吸入口（16）は、フロアプレート（15）内部の空間に連通している。フロアプレート（15）内部の空間では、図示しない吸引機構によって空気が吸引されている。
【００２７】
対象者（T）に付着していた塵埃は、送風ゲート（20）から対象者（T）に向かって吹き出された空気によって除去された後で吸入口（16）に吸入され、フロアプレート（15）内に回収される。これにより、塵埃が浮遊して対象者（T）に再付着するのを抑えることができる。
【００２８】
ところで、対象者（T）の全身に向かって空気を吹き出すようにした場合には、対象者（T）の顔にも空気が吹き付けられ、対象者（T）が不快感を覚えたり、セットした髪型が乱れてしまうおそれがある。
【００２９】
そこで、本実施形態では、対象者（T）の身長に応じて、対象者（T）の首から下に向かって空気を吹き出すように、吹出位置を変更可能としている。
【００３０】
具体的に、図３に示すように、送風ゲート（20）には、送風ゲート（20）を通過しようとする対象者（T1）の身長（H1）を検出する検出センサ（26）が設けられている。そして、検出センサ（26）の検出結果に基づいて、対象者（T1）の首の位置（N1）を推定する。なお、図示しないカメラ等によって対象者（T1）の全身画像を取得し、画像中の対象者（T1）の首の位置（N1）を抽出するようにしてもよい。
【００３１】
そして、対象者（T1）の顔に空気が吹き出される位置の吹出口（22）をフラップ（23）で閉塞することで、対象者（T1）の首から下に空気を吹き出すようにしている。図３に示す例では、８つの吹出口（22）のうち上から一番目の吹出口（22）を、ハッチングで示すフラップ（23）で閉じるようにしている。
【００３２】
また、図４に示すように、フラップ（23）の回動角度を調整することで、対象者（T1）の上方から下方に向かって空気を吹き出す。これにより、塵埃が浮遊して対象者（T）に再付着するのを抑えることができる。また、除去された塵埃は、フロアプレート（15）の吸入口（16）からフロアプレート（15）内部に回収される。
【００３３】
なお、花粉等の塵埃は、対象者（T1）の体部分に多く付着しており、顔の部分に付着している塵埃の量は、体部分に比べて少ない。そのため、顔の部分に付着している塵埃が屋内空間（S1）に持ち込まれることの影響は少ない。
【００３４】
次に、図５に示すように、対象者（T1）よりも身長の低い対象者（T2）が送風ゲート（20）を通過する場合には、まず、対象者（T2）の身長（H2）が検出センサ（26）によって検出される。そして、検出センサ（26）の検出結果に基づいて、対象者（T2）の首の位置（N2）を推定する。
【００３５】
そして、対象者（T2）の顔に空気が吹き出される位置の吹出口（22）をフラップ（23）で閉塞することで、対象者（T2）の首から下に空気を吹き出すようにしている。図５に示す例では、８つの吹出口（22）のうち上から一番目及び二番目の吹出口（22）を、ハッチングで示すフラップ（23）で閉じるようにしている。
【００３６】
−実施形態１の効果−
本実施形態の除塵装置（10）は、対象者（T）に向けて空気を吹き出して塵埃を除去するものである。そして、空気を送風するファン（25）と、ファン（25）から送風されて対象者（T）に向かう空気の吹き出し位置を変更するフラップ（23）（吹出位置変更部）とを備え、フラップ（23）は、対象者（T）の首から下に向けて空気を吹き出すように、対象者（T）の身長に応じて吹き出し位置を変更するように構成されている。
【００３７】
本実施形態では、対象者（T）の身長に応じて空気の吹き出し位置を変更することで、対象者（T）の首から下に向けて空気を吹き出すようにしている。これにより、対象者（T）の顔に空気が吹き付けられるのを抑えることができる。
【００３８】
また。本実施形態の除塵装置（10）において、フラップ（23）（吹出位置変更部）は、対象者（T）に向けて屋内空間（S1）から屋外空間（S2）へと空気を吹き出すように構成されている。
【００３９】
本実施形態では、対象者（T）に向けて屋内空間（S1）から屋外空間（S2）へと空気を吹き出すようにしている。これにより、対象者（T）に付着している塵埃が除去された後、空気の流れに沿って屋外空間（S2）に排出することができる。
【００４０】
また、本実施形態の除塵装置（10）において、フラップ（23）（吹出位置変更部）は、対象者（T）に向けて上方から下方へと空気を吹き出すように構成されている。
【００４１】
本実施形態では、対象者（T）に向けて上方から下方へと空気を吹き出すようにしている。これにより、対象者（T）に付着している塵埃が除去された後、塵埃が浮遊して対象者（T）に再付着するのを抑えることができる。
【００４２】
また、本実施形態の除塵装置（10）において、対象者（T）が屋外空間（S2）から屋内空間（S1）へ向かう入室方向に対して交差する横方向から空気を吹き出すように吹出口（22）が設けられ、入室方向の手前側に開口する吹出口（22）は、入室方向の奥側に開口する吹出口（22）よりも高い位置に設けられている。
【００４３】
本実施形態では、入室方向の手前側に開口する吹出口（22）の高さを、入室方向の奥側に開口する吹出口（22）よりも高くしている。具体的に、対象者（T）が入室方向に移動するときに、まず、対象者（T）の上半身の塵埃が除去されることとなる。その後、除去された塵埃が対象者（T）の下半身に再付着したとしても、奥側の吹出口（22）から吹き出される空気によって、対象者（T）の下半身の塵埃を除去することができる。
【００４４】
また、本実施形態の除塵装置（10）では、ファン（25）で送風される空気に有用成分を付加する付加カートリッジ（12）を備えている。
【００４５】
本実施形態では、ファン（25）で送風される空気に有用成分を付加している。これにより、有用成分として、例えば、消臭剤、除菌剤、フレグランス剤などを付加することができる。
【００４６】
−実施形態１の変形例１−
図６に示すように、送風ゲート（20）のゲート本体（21）には、上下方向に間隔をあけて５つの吹出口（22）が開口している。吹出口（22）は、開閉ダンパ（33）（吹出位置変更部）によって開閉可能となっている。
【００４７】
ここで、対象者（T）が送風ゲート（20）を通過する場合には、まず、対象者（T）の身長が検出センサ（26）によって検出される。そして、検出センサ（26）の検出結果に基づいて、対象者（T）の首の位置を推定する。
【００４８】
そして、対象者（T）の顔に空気が吹き出される位置の吹出口（22）を開閉ダンパ（33）で閉塞することで、対象者（T）の首から下に空気が吹き出されるようにしている。図６に示す例では、５つの吹出口（22）のうち上から一番目の吹出口（22）を、ハッチングで示す開閉ダンパ（33）で閉じるようにしている。
【００４９】
−実施形態１の変形例２−
図７に示すように、送風ゲート（20）のゲート本体（21）には、上下方向に間隔をあけて３つのクロスフロー式のファン（25）が配設されている。
【００５０】
ここで、対象者（T）が送風ゲート（20）を通過する場合には、まず、対象者（T）の身長が検出センサ（26）によって検出される。そして、検出センサ（26）の検出結果に基づいて、対象者（T）の首の位置を推定する。
【００５１】
そして、対象者（T）の顔に空気が吹き出される位置にあるファン（25）の動作を停止する一方、残りのファン（25）を動作させることで、対象者（T）の首から下に空気が吹き出されるようにしている。図７に示す例では、３つのファン（25）のうち、一番上のファン（25）の動作を停止するようにしている。
【００５２】
《実施形態２》
実施形態２について説明する。
【００５３】
図８に示すように、除塵システム（1）は、対象者（T）用の除塵装置（10）と、物品（B）を屋外空間（S2）から屋内空間（S1）へと搬送する搬送部（41）と、鞄や上着などの物品（B）用の除塵装置（40）とを備えている。
【００５４】
対象者（T）用の除塵装置（10）は、前記実施形態１と同様であり、左右一対の送風ゲート（20）を備え、送風ゲート（20）の間を通過する対象者（T）の首から下に向けて空気を吹き出すことで、対象者（T）の体に付着した塵埃を除去することができる。
【００５５】
搬送部（41）は、屋外空間（S2）から屋内空間（S1）へと延びるベルトコンベアや、水平方向に移動するリフト等で構成されている。搬送部（41）に載せられた物品（B）は、屋内空間（S1）に向かって搬送される。
【００５６】
物品（B）用の除塵装置（40）は、搬送部（41）の搬送途中で物品（B）に向けて空気を吹き出す送風ファン（42）を備えている。なお、物品（B）用の除塵装置（40）は、送風ファン（42）に限定するものではなく、例えば、物品（B）の搬送中に物品（B）に振動を与えることで塵埃を除去する振動機構で構成されていてもよい。
【００５７】
このように構成された除塵システム（1）では、対象者（T）は、手持ちの鞄などの物品（B）を搬送部（41）に載せてから、対象者（T）用の除塵装置（10）へと向かう。このとき、搬送部（41）によって物品（B）が屋内空間（S1）へと搬送されていき、その搬送途中で、物品（B）用の除塵装置（40）によって塵埃が除去される。
【００５８】
そして、対象者（T）は、除塵装置（10）を通過することで体に付着した塵埃が除去される。その後、対象者（T）は、搬送部（41）から搬送されてきた物品（B）を回収して、屋内空間（S1）へと入室していく。
【００５９】
これにより、対象者（T）に付着した塵埃と、物品（B）に付着した塵埃とを、別々の除塵装置（10,40）で除去することができる。
【００６０】
以上、実施形態及び変形例を説明したが、特許請求の範囲の趣旨及び範囲から逸脱することなく、形態や詳細の多様な変更が可能なことが理解されるであろう。また、以上の実施形態及び変形例は、本開示の対象の機能を損なわない限り、適宜組み合わせたり、置換したりしてもよい。
【産業上の利用可能性】
【００６１】
以上説明したように、本開示は、除塵装置及び除塵システムについて有用である。
【符号の説明】
【００６２】
1    除塵システム
10    除塵装置
12    付加カートリッジ（付加部）
22    吹出口
23    フラップ（吹出位置変更部）
25    ファン
33    開閉ダンパ（吹出位置変更部）
40    除塵装置
S1    屋内空間
S2    屋外空間
T    対象者
【図１】
2019211190.tif 000003
【図２】
2019211190.tif 000004
【図３】
2019211190.tif 000005
【図４】
2019211190.tif 000006
【図５】
2019211190.tif 000007
【図６】
2019211190.tif 000008
【図７】
2019211190.tif 000009
【図８】
2019211190.tif 000010